(57)【特許請求の範囲】
【請求項１】
注出部がもぎり栓により密封されるキャップ本体と、キャップ本体に開閉自在に取り付けられる上蓋とからなる、もぎり栓付きキャップであって、
キャップ本体は、容器の口部に装着される装着部と、装着部内縁から内方に延設され口部の開口を封鎖する上壁と、上壁を貫通して形成される注出部と、注出部の先端部に破断可能に連設されるもぎり栓とを備え、
上蓋は、閉蓋時に、もぎり栓の上部に破断可能に設けられる摘み部材を備え、
摘み部材は、もぎり栓を覆い、掛止する係合筒部を備えることを特徴とするもぎり栓付きキャップ。
【請求項２】
もぎり栓は、注出部を封鎖する栓本体と、栓本体の外周に周設される掛止凹部と、栓本体の外周に突設される回転止め突部とを備え、
摘み部材の係合筒部は、内周を上下方向に延びる回転止め溝と、内周に回転止め溝を除いて突設される掛止突部とを有することを特徴とする請求項１に記載のもぎり栓付きキャップ。
【請求項３】
係合筒部の内周下端に、掛止突部が突設されることを特徴とする請求項２に記載のもぎり栓付きキャップ。
【請求項４】
係合筒部の内周の中程に掛止突部が突設され、閉蓋時に係合筒部の下部でもぎり栓を覆うことを特徴とする請求項２に記載のもぎり栓付きキャップ。
【請求項５】
上蓋は、頂壁と、頂壁の外縁から垂設される側周壁とを備え、
摘み部材は、頂壁に形成される開口部と、該開口部の内方に破断可能な破断ブリッジを介して連設されることを特徴とする請求項１〜４のいずれかに記載のもぎり栓付きキャップ。
【請求項６】
上蓋は、下端部がキャップ本体に装着される側周壁を備え、
摘み部材は、側周壁の内周上端に、破断可能な複数の破断ブリッジを介して連設されることを特徴とする請求項１〜４のいずれかに記載のもぎり栓付きキャップ。
【請求項７】
摘み部材は、係合筒部の外周に突設される摘み部を備えることを特徴とする請求項１〜６のいずれかに記載のもぎり栓付きキャップ。
【請求項８】
摘み部材は、中央に、もぎり栓の平面形状に合わせた係合孔が穿設されたリング状の上壁と、上壁の係合孔縁に垂設される係合筒部とを備え、
上壁は、係合筒部を挟んで平行して延びる２本の折曲溝と、折曲溝により区画される中央の基板部と、基板部の両側にＤ形状に形成される摘み板部とを有することを特徴とする請求項１〜６のいずれかに記載のもぎり栓付きキャップ。
【請求項９】
キャップ本体と上蓋とがヒンジ部を介して連設されていることを特徴とする請求項１〜８のいずれかに記載のもぎり栓付きキャップ。
【発明の詳細な説明】
【技術分野】
【０００１】
本発明は、使い切り容器などに用いるキャップに関し、とくに、注出部がもぎり栓により密封されるもぎり栓付きキャップに関するものである。
【背景技術】
【０００２】
化粧液においては、外気に触れると変質し易いために比較的短期間に使い終ることを必要とするものがあり、このような液体収納容器は、外気が容器体内へ入ることを防止することが望まれ、さらに、消費者がその容器購入後は、密封保管することが容易であることを要する。
このような封緘容器として、容器口部にノズルなどの注出部を起立するとともに、注出部上端の注出孔を密閉するもぎり栓を破断可能な薄肉部を介して注出部上端から起立した容器と、容器の口筒部に装着され、もぎり栓を覆うとともに閉蓋するカバーキャップとからなり、使用時には、もぎり栓を捻り取ることにより、薄肉部を破断して注出孔を開口するものは、従来から知られている（例えば、特許文献１参照）。
【０００３】
また、トイレの洗浄剤や配水管の洗浄剤や洗濯槽の洗浄剤など、塩素系の内容液が充填された容器は、開栓時に内容液が飛散するリスク低減するためや、使用後、手に内容液が付着するリスクを低減するために、もぎり栓付きの使い切りの容器が好ましい。
【先行技術文献】
【特許文献】
【０００４】
【特許文献１】実公平０３−００１３８９号公報
【発明の概要】
【発明が解決しようとする課題】
【０００５】
上記特許文献１記載の封緘容器では、注出孔を開口する際に、もぎり栓（つまみ部）を捻り取るために、カバーキャップを開蓋した後に、カバーキャップを反転させ、もぎり栓（つまみ部）をカバーキャップの頂部に設けた溝で挟持させ、カバーキャップを捻り、もぎり栓（つまみ部）とともに取り去るようにしており、注出孔を開口することが簡単ではなかった。
また、注出孔を開口した後に、カバーキャップを容器口部に装着すると、注出孔の開口が確認できず、容器を使用したかどうか確認できないという問題があった。
【０００６】
本発明は、上記問題を解決することを課題とし、注出部がもぎり栓により密封されるキャップが装着された容器のもぎり栓を保護するとともに、簡単にもぎり栓を捻り取ることができ、また、容器の使用を確認できるもぎり栓付きキャップを提供することを目的とする。
【課題を解決するための手段】
【０００７】
本発明は、上記の課題を解決するため、もぎり栓付きカバーキャップとして、注出部がもぎり栓により密封されるキャップ本体と、キャップ本体に開閉自在に取り付けられる上蓋とからなる、もぎり栓付きキャップであって、キャップ本体は、容器の口部に装着される装着部と、装着部内縁から内方に延設され口部の開口を封鎖する上壁と、上壁を貫通して形成される注出部と、注出部の先端部に破断可能に連設されるもぎり栓とを備え、上蓋は、閉蓋時に、もぎり栓の上部に破断可能に設けられる摘み部材を備え、摘み部材は、もぎり栓を覆い、掛止する係合筒部を備えることを特徴とする構成を採用する。
【０００８】
もぎり栓と係合筒部の具体的実施形態として、もぎり栓は、注出部を封鎖する栓本体と、栓本体の外周に周設される掛止凹部と、栓本体の外周に突設される回転止め突部とを備え、摘み部材の係合筒部は、内周を上下方向に延びる回転止め溝と、内周に回転止め溝を除いて突設される掛止突部とを有することを特徴とする構成を採用する。
また、係合筒部の具体的実施形態として、係合筒部の内周下端に、掛止突部が突設されることを特徴とする構成、または、係合筒部の内周の中程に掛止突部が突設され、閉蓋時に係合筒部の下部でもぎり栓を覆うことを特徴とする構成を採用する。
【０００９】
上蓋の具体的実施形態として、上蓋は、頂壁と、頂壁の外縁から垂設される側周壁とを備え、摘み部材は、頂壁に形成される開口部と、該開口部の内方に破断可能な破断ブリッジを介して連設されることを特徴とする構成、または、上蓋は、下端部がキャップ本体に装着される側周壁を備え、摘み部材は、側周壁の内周上端に、破断可能な複数の破断ブリッジを介して連設されることを特徴とする構成を採用する。
【００１０】
摘み部材の具体的実施形態として、摘み部材は、係合筒部の外周に突設される摘み部を備えることを特徴とする構成、または、摘み部材は、中央に、もぎり栓の平面形状に合わせた係合孔が穿設されたリング状の上壁と、上壁の係合孔縁に垂設される係合筒部とを備え、上壁は、係合筒部を挟んで平行して延びる２本の折曲溝と、折曲溝により区画される中央の基板部と、基板部の両側にＤ形状に形成される摘み板部とを有することを特徴とする構成を採用する。
【００１１】
キャップ本体と上蓋との具体的実施形態として、キャップ本体と上蓋とがヒンジ部を介して連設されていることを特徴とする構成を採用する。
【発明の効果】
【００１２】
本発明のもぎり栓付きキャップは、上記構成を採用することにより、閉蓋時にもぎり栓が上蓋および上蓋に連設される摘み部材により保護されているので、流通時に、もぎり栓が折れることを防止でき、キャップをバラ詰めで納品することが可能になる。
さらに、もぎり栓を捻り取るための摘み部材を上蓋の天面に設けることにより、上蓋を開蓋操作すると、摘み部材がもぎり栓とともに上蓋から脱落し、再び上蓋を閉めても、上蓋を開けたことが簡単に視認できる。
また、摘み部材に摘み部が設けられているので、簡単に指を掛けることができ、もぎり栓を捻り取り易くなっている
【図面の簡単な説明】
【００１３】
【図１】本発明の実施例１であるキャップの閉じた状態を示す図であり、（ａ）は上面図、（ｂ）は側面断面図である。
【図２】実施例１のキャップの説明図で、（ａ）は閉蓋前の上面図、（ｂ）は図１（ｂ）の要部拡大図である。
【図３】実施例１のキャップの最初の開蓋後の説明図で、（ａ）は上面図、（ｂ）は側面断面図である。
【図４】実施例１のキャップのもぎり栓を取り外した後の説明図である。
【図５】実施例１のキャップの使用状態を示す側面断面図である。
【図６】本発明の実施例２であるキャップの閉じた状態を示す図であり、（ａ）は上面図、（ｂ）は側面断面図である。
【図７】実施例２のキャップの説明図で、（ａ）は閉蓋前の上面図、（ｂ）は図６（ｂ）の要部拡大図である。
【図８】実施例２のキャップの最初の開蓋後の説明図で、（ａ）は上面図、（ｂ）は側面断面図である。
【図９】実施例２のキャップのもぎり栓を取り外した後の説明図である。
【図１０】本発明の実施例３であるキャップの閉じた状態を示す図であり、（ａ）は上面図、（ｂ）は側面断面図である。
【図１１】実施例３のキャップの説明図で、（ａ）は閉蓋前の上面図、（ｂ）は図１０（ｂ）の要部拡大図である。
【図１２】実施例３の摘み部材を上蓋に対して押し込んだ時の説明図である。
【図１３】実施例３のキャップのもぎり栓を取り外した後の説明図である。
【図１４】本発明の実施例４であるキャップの閉じた状態を示す図であり、（ａ）は上面図、（ｂ）は側面断面図である。
【図１５】実施例４のキャップの最初の開蓋後の説明図である。
【発明を実施するための形態】
【００１４】
次に、本発明のもぎり栓付きキャップについて、実施例を示した図面を参照して説明する。
【実施例１】
【００１５】
図１において、Ａは容器Ｄに装着されるキャップ本体、Ｂはキャップ本体Ａにヒンジ部Ｃを介して開閉可能に取り付けられる上蓋である。
容器Ｄは、口部１を有する容器であり、口部１の外周面には、雄ねじ部２が設けられている。
【００１６】
キャップ本体Ａは、図１、２に示すように、容器Ｄの口部１に装着される装着部３と、装着部３から内方に延設され口部１の開口を封鎖する上壁４と、上壁４を貫通する注出口の周囲から立設される注出部としてのノズル５とを備えている。
【００１７】
装着部３は、上蓋Ｂと係合する上蓋係合部６が周設される基壁７と、基壁７の内周縁から下面に垂設され、外周が容器Ｄの口部１内周に挿入される内筒８と、基壁７の外周縁から垂設される外筒９とから構成されている。
外筒９には、外周上端部のヒンジ部Ｃと反対側に後述する上蓋Ｂの把手部２４と対向する位置に切欠凹部９ａが形成され、内周に容器Ｄの口部１の雄ねじ部２と螺合する雌ねじ部１０が設けられている。
【００１８】
ノズル５の先端部５ａは、内方に縮径されるとともに、ノズル５の先端部５ａには、破断可能な薄肉部１１を介して、もぎり栓１２が形成されている。
もぎり栓１２は、図２に示すように、ノズル５の先端部５ａから連続するノズル孔１３と、ノズル孔１３を包囲して立設される栓本体１４と、栓本体１４の外周の平面視でヒンジ部Ｃの反対側を０°として９０°と２７０°の箇所に突設される回転止め突部１５とから構成されている。
栓本体１４の外周には、上端部に上が細く傾斜するテーパー面１４ａが設けられ、中程に回転止め突部１５を除いて凹設される掛止凹部１６が配設されている。
【００１９】
上蓋Ｂは、図１、２に示すように、頂壁２０と、頂壁２０の外縁から垂設され、外周にヒンジ部Ｃを介してキャップ本体Ａに連設される側周壁２１と、頂壁２０の中央に開口部２２が穿設されるとともに、その内方に、閉蓋時にキャップ本体Ａのもぎり栓１２を内方に掛止する摘み部材Ｅが連設され、キャップ本体Ａに対して開閉自在に取着されている。
【００２０】
頂壁２０の開口部２２は、摘み部材Ｅの平面視の形に合わせて形成されるとともに、摘み部材Ｅとの間に僅かな空間を形成し、摘み部材Ｅと頂壁２０の開口部２２の内方は、複数（本実施例では、ヒンジ部Ｃ側を起点として９０°間隔で４箇所）配設された破断可能な破断ブリッジ２３を介して連設されている。
【００２１】
側周壁２１は、外周の片側にヒンジ部Ｃが連設され、外周下端部のヒンジ部Ｃと反対側に、平面視で円弧状の把手部２４が設けられ、内周下端部に、キャップ本体Ａの上蓋係合部６と係合して閉蓋状態を維持させる基壁係合部２５が設けられている。
【００２２】
摘み部材Ｅは、図１、２に示すように、閉蓋時にキャップ本体Ａのもぎり栓１２を内方に掛止する中央の係合筒部３０と、係合筒部３０の外周から平面視でヒンジ部Ｃの反対側を０°として９０°と２７０°の箇所に張り出すように突設される摘み部３１とから構成され、両方の摘み部３１の先端部上端および係合筒部３０の外周の両側上端に破断ブリッジ２３が連設されている。
【００２３】
係合筒部３０には、内周の両方の摘み部３１側に、摘み部３１の根本付近まで延び、閉蓋時にキャップ本体Ａのもぎり栓１２の回転止め突部１５の先端部が嵌入する回転止め溝３２が凹設され、内周下端部には、回転止め溝３２を除いて、キャップ本体Ａのもぎり栓１２の掛止凹部１６に嵌入する掛止突部３３が突設されている。
掛止突部３３は、上部のほぼ水平に内方に延びる水平面３３ａと、水平面３３ａの先端から外方に向かうとともに係合筒部３０の下端に延びる傾斜面３３ｂとから形成されている。
【００２４】
次に、本実施例の使用態様と作用効果について図面を参照しながら説明する。
本実施例のキャップは、図２（ａ）に示すように、上蓋Ｂが完全に開いた状態でヒンジ部Ｃを介してキャップ本体Ａと一体成形により製造される。
【００２５】
次に、開いた状態から図１に示すように上蓋Ｂを閉じてキャップをセットする際には、上蓋Ｂの把手部２４を持ってヒンジ部Ｃを中心に回動させると、摘み部材Ｅの係合筒部３０の内周に設けられた回転止め溝３２の内方にキャップ本体Ａのもぎり栓１２の回転止め突部１５が挿入されていくとともに、係合筒部３０の内周下端部に設けられた掛止突部３３の傾斜面３３ｂがもぎり栓１２の上端のテーパー面１４ａに当接し、互いの傾斜により、係合筒部３０下部を僅かに変形させながら、乗り越えていく。
この場合には、摘み部材Ｅが上蓋Ｂから分離されないように、破断ブリッジ２３の破断強度は、係合筒部３０の乗り越え抵抗よりも大きくなるように設定されている。
また、係合筒部３０の掛止突部３３に傾斜面３３ｂを設け、もぎり栓１２の上端にテーパー面１４ａを設けており、互いに楽に乗り越えていくようになっているので、係合筒部３０の乗り越え抵抗は、さほど大きくする必要はない。
【００２６】
また、上蓋Ｂを閉じる際に、破断ブリッジ２３が破断しないように、上蓋Ｂの頂壁２０の上面と摘み部材Ｅの上面（すなわち、上蓋Ｂの天面全体）を押さえて、上蓋Ｂを閉蓋することもできる。
この場合には、破断ブリッジ２３の破断強度は、係合筒部３０の乗り越え抵抗よりも小さく設定することが可能である。
【００２７】
最後は、図１、２（ｂ）に示すように、係合筒部３０の掛止突部３３の先端がもぎり栓１２の掛止凹部１６に嵌入して掛止され、さらに、キャップ本体Ａの上蓋係合部６は、上蓋Ｂの側周壁２１の基壁係合部２５と係合し、未開封状態として閉じられる。
本実施例のもぎり栓付きキャップは、成形後、上蓋Ｂを閉じることにより、もぎり栓１２を摘み部材Ｅおよび上蓋Ｂ内で保護しているので、納品の際に、バラ詰めでも、もぎり栓１２が折れたりするのを防止できる。
【００２８】
次に、上蓋Ｂが閉じた状態のキャップを内容液が充填された容器Ｄの口部１に装着される。
装着工程は、キャップ本体Ａの装着部３を容器Ｄの口部１に当てがい、キャップを回転することで、口部１の雄ねじ部２とキャップ本体Ａの装着部３の外筒９の雌ねじ部１０を螺合させ、装着される。
なお、本実施例では、容器Ｄの口部１の雄ねじ部２とキャップ本体Ａの外筒９の雌ねじ部１０を螺合させことで、キャップを容器Ｄに装着しているが、必ずしもこのような手段に限らず、口部１と外筒９にそれぞれ係合する突部を設け、キャップを打栓して装着させるなどの他の手段によって装着してもよい。
【００２９】
本実施例のもぎり栓付きキャップが装着された容器においては、キャップ本体Ａのもぎり栓１２を摘み部材Ｅに装着し、摘み部材Ｅの側面を上蓋Ｂの頂壁２０開口部２２の内方および側周壁２１により保護しているので、流通時に、もぎり栓１２が外力を受けてキャップ本体Ａのノズル５に対して折れ曲がったり、破断したりするのを防止することができる。
【００３０】
容器Ｄ内の内容液を使用するにあたり、キャップを最初に開ける際には、図１に示すキャップ本体Ａの外筒９の切欠凹部９ａから上蓋Ｂの把手部２４の下面に手指を掛けて持ち上げ、キャップ本体Ａの上蓋係合部６と上蓋Ｂの基壁係合部２５との係合を解除し、ヒンジ部Ｃを中心に上蓋Ｂを回動させていく。
すると、摘み部材Ｅも上蓋Ｂと一緒に持ち上がろうとするが、摘み部材Ｅの係合筒部３０の掛止突部３３の水平面３３ａが、もぎり栓１２の掛止凹部１６に掛止されており、破断ブリッジ２３の破断強度は、係合筒部３０の引き上げ抵抗よりも小さく設定されているので、破断ブリッジ２３は、ヒンジ部Ｃと反対側方向から順に破断し、最後に、ヒンジ部Ｃ側の破断ブリッジ２３も破断され、摘み部材Ｅを上蓋Ｂの開口部２２から完全に切り離すと、図３に示すように、摘み部材Ｅは、もぎり栓１２の上面に移行した状態になって開蓋される。
なお、破断ブリッジ２３の破断強度は、もぎり栓１２の薄肉部１１の破断強度よりも小さく設定されているのは、当然のことである。
【００３１】
本実施例のキャップは、未開封状態では、上蓋Ｂの摘み部材Ｅの係合筒部３０が、もぎり栓１２の掛止凹部１６に掛止されているので、未開封状態から、無理に上蓋Ｂを開閉すると、上蓋Ｂの頂壁２０の開口部２２と摘み部材Ｅとを連設する破断ブリッジ２３が破断され、上蓋Ｂを再度閉じても、摘み部材Ｅと上蓋Ｂの頂壁２０の開口部２２との破断ブリッジ２３が破断しているので、不正に開閉したことが簡単に視認できる。
【００３２】
次に、図３に示す状態から、摘み部材Ｅの摘み部３１の両方または片方に指を掛けて捻ることにより、摘み部材Ｅの回転とともに、摘み部材Ｅの係合筒部３０の回転止め溝３２内に嵌入したキャップ本体Ａのもぎり栓１２の回転止め突部１５との係合により、もぎり栓１２もノズル５に対して捻られ、薄肉部１１が破断し、もぎり栓１２をノズル５から取り除き、図４に示すように、ノズル５の先端部５ａにノズル孔１３を開口し、ノズル５を開封する。
キャップ本体Ａのノズル５が開封されることにより、図５に示すように、容器Ｄを傾けただけで、容易にノズル５から容器Ｄ内の内容液を注出することができる。
【００３３】
本実施例のキャップは、基本的には、内容液を１回で使い切る容器用であるから、容器Ｄから内容液を注出した後は、そのまま、廃棄する。
また、もぎり栓１２を捻り取ってノズル５のノズル孔１３の開口した後は、再び、閉鎖することは出来ず、さらに、上蓋Ｂの頂壁２０の開口部２２の空間が開いているので、視認して開蓋が確認でき、容器の使用状況を確実に知ることが出来る。
容器Ｄは、傾けて内容液をノズル５から注出するものに限らず、容器Ｄをスクイズしてノズル５から内容液を注出するものであっても構わない。
【００３４】
本実施例では、もぎり栓１２に、栓本体１４の外周の平面視でヒンジ部Ｃの反対側を０°として９０°と２７０°の箇所に回転止め突部１５を突設し、それに合わせて、摘み部材Ｅに、９０°と２７０°の箇所に摘み部３１と、回転止め溝３２を設けたが、閉蓋時に、回転止め突部１５が回転止め溝３２に挿入して係合し、開蓋後に、その係合により、摘み部３１に指を掛けて摘み部材Ｅを捻ることで、もぎり栓１２を捻り取ることができればよいので、回転止め突部１５の配設箇所および数はどのようなものでもよく、また、回転止め溝３２は、回転止め突部１５の配設箇所および数に合わせて配設すればよく、またさらに、摘み部３１の配設箇所および数も指を掛け、摘み部材Ｅを捻り取ることができればよいので、配設箇所および数はどのようなものでもよい。
もぎり栓の回転止め突部、摘み部材の摘み部および回転止め溝の配設箇所および数は上記実施例の形態に限定されない。
【実施例２】
【００３５】
次に、上記第１実施例の上蓋Ｂおよび摘み部材Ｅの形状を変更した第２実施例について、図を参照して説明する。
以下、第１実施例と同一の構成部分には同一の符号を付し、栓体の変更部分に新たな符号を付し、相違点を中心に説明する。
【００３６】
図６において、Ａは容器Ｄに装着されるキャップ本体、Ｂａはキャップ本体Ａにヒンジ部Ｃを介して開閉可能に取り付けられる上蓋である。
【００３７】
上蓋Ｂａは、図６、７に示すように、外周にヒンジ部Ｃを介してキャップ本体Ａに連設される側周壁３５と、側周壁３５の内周上端を開口部３６とし、開口部３６の内方に、複数（本実施例では、ヒンジ部Ｃ側を起点として９０°間隔で４箇所）配設された破断可能な破断ブリッジ３７を介して連設される摘み部材Ｆとからなっている。
【００３８】
側周壁３５は、外周の片側にヒンジ部Ｃが連設され、外周下端部のヒンジ部Ｃと反対側に、把手部２４が設けられ、内周下端部に、基壁係合部２５が設けられている。
【００３９】
摘み部材Ｆは、外縁が開口部３６との間に僅かな空間を形成するとともに、中央にキャップ本体Ａのもぎり栓１２の平面視の形に穿設された係合孔４０を設けたリング状の上板４１と、上板４１の係合孔４０の縁から垂設される係合筒部４２とからなっている。
【００４０】
係合孔４０は、もぎり栓１２の栓本体１４の外周形状に形成される中央部４０ａと、中央部４０ａからもぎり栓１２の両方の回転止め突部１５の形状に形成される回転止め部４０ｂとからなっている。
【００４１】
上板４１は、下面に、係合筒部４２の外縁に近接してヒンジ部Ｃ側とその反対側の両側に位置し、回転止め部４０ｂと平行に延びる折曲溝４３が凹設され、折曲溝４３により、中央の基板部４４と、その両側のＤ形状に形成された摘み板部４５に区画されている。
【００４２】
係合筒部４２は、内周に、回転止め部４０ｂの内周から下端まで延びる回転止め溝４６が形成され、内周下端部には、回転止め溝４６を除いて、キャップ本体Ａのもぎり栓１２の掛止凹部１６に嵌入する掛止突部４７が突設されている。
掛止突部４７は、上部のほぼ水平に内方に延びる水平面４７ａと、水平面４７ａの先端から外方に向かうとともに係合筒部４２の下端に延びる傾斜面４７ｂとから形成されている。
【００４３】
次に、本実施例の使用態様と作用効果について図面を参照しながら説明する。
上蓋Ｂａを閉じてキャップをセットする際には、上蓋Ｂａの把手部２４を持ってヒンジ部Ｃを中心に回動させると、摘み部材Ｆの係合筒部４２に設けられた回転止め溝４６の内方にキャップ本体Ａのもぎり栓１２の回転止め突部１５が挿入されていくとともに、係合筒部４２の内周下端部に設けられた掛止突部４７の傾斜面４７ｂがもぎり栓１２の上端のテーパー面１４ａに当接し、互いの傾斜により、係合筒部４２下部を僅かに変形させながら、乗り越えていく。
この場合には、摘み部材Ｆが上蓋Ｂａから分離されないように、破断ブリッジ３７の破断強度は、係合筒部４２の乗り越え抵抗よりも大きくなるように設定されている。
また、係合筒部４２の掛止突部４７に傾斜面４７ｂを設け、もぎり栓１２の上端にテーパー面１４ａを設けており、互いに楽に乗り越えていくようになっているので、係合筒部４２の乗り越え抵抗は、さほど大きくする必要はない。
当然、上蓋Ｂａを閉じる際に、破断ブリッジ３７が破断しないように、上蓋Ｂａの側周壁３５の上端面と摘み部材Ｆの上面（すなわち、上蓋Ｂａの天面全体）を押さえて、上蓋Ｂａを閉蓋するようにしてもよい。
【００４４】
最後は、図６に示すように、係合筒部４２の掛止突部４７の先端がもぎり栓１２の掛止凹部１６に嵌入して掛止され、さらに、キャップ本体Ａの上蓋係合部６は、上蓋Ｂａの側周壁３５の基壁係合部２５と係合し、未開封状態として閉じられる。
本実施例のもぎり栓付きキャップは、成形後、上蓋Ｂａを閉じることにより、もぎり栓１２を摘み部材Ｆおよび上蓋Ｂａ内で保護しているので、納品の際に、バラ詰めでも、もぎり栓１２が折れたりするのを防止できる。
また、もぎり栓付きキャップが装着された容器においても、もぎり栓１２を摘み部材Ｆおよび上蓋Ｂａ内で保護しているので、流通時に、もぎり栓１２が外力を受けてキャップ本体Ａのノズル５に対して折れ曲がったり、破断したりするのを防止することができる。
【００４５】
容器Ｄ内の内容液を使用するにあたり、キャップを最初に開ける際には、キャップ本体Ａに対して、ヒンジ部Ｃを中心に上蓋Ｂａを回動させていく。
すると、摘み部材Ｆも上蓋Ｂａと一緒に持ち上がろうとするが、摘み部材Ｆの係合筒部４２の掛止突部４７の水平面４７ａが、もぎり栓１２の掛止凹部１６に掛止されており、破断ブリッジ３７は、ヒンジ部Ｃと反対側方向から順に破断され、摘み部材Ｆを上蓋Ｂａの開口部３６から完全に切り離すと、図８に示すように、摘み部材Ｆは、もぎり栓１２の上面に移行した状態になって開蓋される。
なお、破断ブリッジ３７の破断強度は、もぎり栓１２の薄肉部１１の破断強度よりも小さく設定されているのは、当然のことである。
【００４６】
本実施例のキャップは、未開封状態では、上蓋Ｂａの摘み部材Ｆの係合筒部４２が、もぎり栓１２の掛止凹部１６に掛止されているので、未開封状態から、無理に上蓋Ｂａを開閉すると、上蓋Ｂａの側周壁３５の開口部３６と摘み部材Ｆとを連設する破断ブリッジ３７が破断され、上蓋Ｂａを再度閉じても、摘み部材Ｆと上蓋Ｂａの開口部３６との破断ブリッジ３７が破断しているので、不正に開閉したことが簡単に視認できる。
【００４７】
次に、図９に示すように、摘み部材Ｆの上板４１の両方の摘み板部４５を折曲溝４３で基板部４４に対して上方に折り曲げる。
そして、両方の摘み板部４５の外側面を摘むように指を掛けて捻ることにより、摘み部材Ｆの回転とともに、摘み部材Ｆの係合筒部４２の回転止め溝４６内に嵌入したキャップ本体Ａのもぎり栓１２の回転止め突部１５との係合により、もぎり栓１２もノズル５に対して捻られ、薄肉部１１が破断し、もぎり栓１２を摘み部材Ｆとともにノズル５から取り除き、ノズル５の先端部５ａにノズル孔１３を開口し、ノズル５を開封し、容器Ｄ内の内容液を使用する。
本実施例では、摘み部材Ｆの両方の摘み板部４５を折曲溝４３で基板部４４に対して上方に折り曲げているが、別に摘み板部４５を下方に折り曲げ、両方の摘み板部４５の外側面を摘むように指を掛けて捻るようにしてもよい。
【００４８】
ノズル５のノズル孔１３の開口した後は、再び、閉鎖することは出来ず、さらに、上蓋Ｂａの開口部３６の空間が開いているので、視認して開蓋が確認でき、容器の使用状況を確実に知ることが出来る。
その他の構成の作用効果については、第１実施例と同様である。
【実施例３】
【００４９】
次に、上記第２実施例の摘み部材Ｆの形状を変更した第３実施例について、図を参照して説明する。
以下、第２実施例と同一の構成部分には同一の符号を付し、栓体の変更部分に新たな符号を付し、相違点を中心に説明する。
【００５０】
図１０において、Ａは容器Ｄに装着されるキャップ本体、Ｂｂはキャップ本体Ａにヒンジ部Ｃを介して開閉可能に取り付けられる上蓋である。
【００５１】
上蓋Ｂｂは、図１０、１１に示すように、外周にヒンジ部Ｃを介してキャップ本体Ａに連設される側周壁３５と、側周壁３５の内周上端を開口部３６とし、開口部３６の内方に、複数（本実施例では、ヒンジ部Ｃ側を起点として９０°間隔で４箇所）配設された破断可能な破断ブリッジ３７を介して連設される摘み部材Ｇとからなっている。
【００５２】
摘み部材Ｇは、外縁が開口部３６との間に僅かな空間を形成するとともに、中央にキャップ本体Ａのもぎり栓１２の平面視の形に穿設された係合孔４０を設けたリング状の上板４１と、上板４１の係合孔４０の縁から垂設され、閉蓋時に下部にキャップ本体Ａのもぎり栓１２が挿入される係合筒部５０とからなっている。
【００５３】
係合筒部５０は、内周に回転止め部４０ｂから下端まで延びる回転止め溝５１が形成され、内周のほぼ中間には、回転止め溝５１を除いて、キャップ本体Ａのもぎり栓１２の掛止凹部１６に嵌入する掛止突部５２が突設されている。
掛止突部５２は、上部のほぼ水平に内方に延びる水平面５２ａと、水平面５２ａの先端から外方に向かうとともに下方に延びる傾斜面５２ｂとから形成されている。
【００５４】
次に、本実施例の使用態様と作用効果について図面を参照しながら説明する。
上蓋Ｂｂを閉じてキャップをセットする際には、上蓋Ｂｂの把手部２４を持ってヒンジ部Ｃを中心に回動させると、摘み部材Ｇの係合筒部５０に設けられた回転止め溝５１の内方にキャップ本体Ａのもぎり栓１２の回転止め突部１５が挿入されていくとともに、係合筒部５０の内周下部にもぎり栓１２の栓本体１４が挿入されていく。
【００５５】
最後は、図１０に示すように、摘み部材Ｇの下部にキャップ本体Ａのもぎり栓１２が挿入されるとともに、上蓋Ｂｂの側周壁３５の基壁係合部２５がキャップ本体Ａの上蓋係合部６と係合し、未開封状態として上蓋Ｂｂが閉じられる。
本実施例のもぎり栓付きキャップは、成形後、上蓋Ｂｂを閉じることにより、もぎり栓１２を摘み部材Ｇおよび上蓋Ｂｂ内で保護しているので、納品の際に、バラ詰めでも、もぎり栓１２が折れたりするのを防止できる。
また、もぎり栓付きキャップが装着された容器においても、もぎり栓１２を摘み部材Ｇのおよび上蓋Ｂｂ内で保護しているので、流通時に、もぎり栓１２が外力を受けてキャップ本体Ａのノズル５に対して折れ曲がったり、破断したりするのを防止することができる。
【００５６】
容器Ｄ内の内容液を使用するにあたり、まず、摘み部材Ｇの上板４１上方から押し込み、上蓋Ｂｂの開口部３６と連設する破断ブリッジ３７を破断させ、上蓋Ｂｂおよびキャップ本体Ａに対して摘み部材Ｇを下降させていく。
すると、摘み部材Ｇの係合筒部５０がキャップ本体Ａのもぎり栓１２に対し下降していき、係合筒部５０の内周に設けられた掛止突部５２の傾斜面５２ｂがもぎり栓１２の上端のテーパー面１４ａに当接し、互いの傾斜により、係合筒部５０下部を僅かに変形させながら、乗り越えていく。
この場合には、傾斜面５２ｂとテーパー面１４ａにより互いに楽に乗り越えていくようになっているので、係合筒部５０の乗り越え抵抗は、さほど大きくする必要はない。
【００５７】
最後は、図１２に示すように、掛止突部５２の先端がもぎり栓１２の掛止凹部１６に嵌入して掛止されるとともに、乗り越えたことによるクリック感により、使用者に下降を終了することを知らせる。
【００５８】
次に、上蓋Ｂｂをキャップ本体Ａからヒンジ部Ｃを介して開蓋した後、図１３に示すように、摘み部材Ｇの上板４１の両方の摘み板部４５を折曲溝４３で基板部４４に対して上方に折り曲げる。
そして、両方の摘み板部４５の外側面を摘むように指を掛けて捻ることにより、摘み部材Ｇの回転とともに、摘み部材Ｇの係合筒部５０の回転止め溝５１内に嵌入したキャップ本体Ａのもぎり栓１２の回転止め突部１５との係合により、もぎり栓１２もノズル５に対して捻られ、薄肉部１１が破断し、さらに、もぎり栓１２の掛止凹部１６と係合筒部５０の掛止突部５２との掛止により、もぎり栓１２を摘み部材Ｇと一緒にノズル５から取り除き、ノズル５の先端部５ａにノズル孔１３を開口し、ノズル５を開封し、容器Ｄ内の内容液を使用する。
【００５９】
ノズル５のノズル孔１３の開口した後は、再び、閉鎖することは出来ず、さらに、上蓋Ｂｂの開口部３６の空間が開いているので、視認して開蓋が確認でき、容器の使用状況を確実に知ることが出来る。
その他の構成の作用効果については、第２実施例と同様である。
【実施例４】
【００６０】
次に、上記第１〜３実施例のキャップ本体および上蓋を連設するヒンジ部を省いた第４実施例について、第３実施例を元にして図を参照して説明する。
以下、第３実施例と同一の構成部分には同一の符号を付し、栓体の変更部分に新たな符号を付し、相違点を中心に説明する。
【００６１】
図１４において、Ａａは容器Ｄに装着されるキャップ本体、Ｈはキャップ本体Ａａに開閉可能に取り付けられる上蓋である。
【００６２】
キャップ本体Ａａは、図１４に示すように、容器Ｄの口部１に装着される装着部３と、装着部３から内方に延設され口部１の開口を封鎖する上壁４と、上壁４を貫通する注出口の周囲から立設される注出部としてのノズル５とを備えている。
装着部３は、上蓋Ｈと係合する上蓋係合部６が周設される基壁７と、基壁７の内周縁から下面に垂設され、外周が容器Ｄの口部１内周に挿入される内筒８と、基壁７の外周縁から垂設される外筒９とから構成されている。
【００６３】
ノズル５の先端部５ａの先端部５ａには、破断可能な薄肉部１１を介して、もぎり栓１２が形成されている。
もぎり栓１２は、栓本体１４と、栓本体１４の両側に突設される回転止め突部１５とが構成されている。
【００６４】
上蓋Ｈは、側周壁５５と、側周壁５５の内周上端を開口部３６とし、開口部３６の内方に、複数（本実施例では、９０°間隔で４箇所）配設された破断可能な破断ブリッジ３７を介して連設される摘み部材Ｇとからなっている。
【００６５】
側周壁５５は、内周下端部に、閉蓋時にキャップ本体Ａａの上蓋係合部６と係合する基壁係合部２５が設けられている。
【００６６】
摘み部材Ｇの係合筒部５０には、閉蓋時にキャップ本体Ａａのもぎり栓１２の回転止め突部１５が挿入される位置に合わせて回転止め溝５１が形成されている。
【００６７】
次に、本実施例の使用態様と作用効果について図面を参照しながら説明する。
上蓋Ｈを閉じてキャップをセットする際には、キャップ本体Ａａのもぎり栓１２の回転止め突部１５と上蓋Ｈの摘み部材Ｇの係合筒部５０の回転止め溝部５１とを位置合わせして、キャップ本体Ａａに上蓋Ｈを被せていく。
【００６８】
最後は、摘み部材Ｇの下部にキャップ本体Ａａのもぎり栓１２が挿入されるとともに、上蓋Ｈの側周壁５５の基壁係合部２５がキャップ本体Ａａの上蓋係合部６と係合し、未開封状態として上蓋Ｈが閉じられる。
本実施例のもぎり栓付きキャップは、上蓋Ｈを閉じることにより、もぎり栓１２を摘み部材Ｇおよび上蓋Ｈ内で保護しているので、納品の際に、バラ詰めでも、もぎり栓１２が折れたりするのを防止できる。
また、もぎり栓付きキャップが装着された容器においても、もぎり栓１２を摘み部材Ｇのおよび上蓋Ｈ内で保護しているので、流通時に、もぎり栓１２が外力を受けてキャップ本体Ａａのノズル５に対して折れ曲がったり、破断したりするのを防止することができる。
【００６９】
容器Ｄ内の内容液を使用するにあたり、まず、摘み部材Ｇの上板４１上方から押し込み、上蓋Ｈの開口部３６と連設する破断ブリッジ３７を破断させ、上蓋Ｈおよびキャップ本体Ａａに対して摘み部材Ｇを下降させ、摘み部材Ｇをキャップ本体Ａａのもぎり栓１２に嵌合させる。
【００７０】
次に、上蓋Ｈをキャップ本体Ａａから外した後、図１５に示すように、摘み部材Ｇの上板４１の両方の摘み板部４５を折曲溝４３で基板部４４に対して上方に折り曲げ、摘み板部４５の外側面を摘み、捻ることにより、もぎり栓１２もノズル５に対して捻り切られ、もぎり栓１２を摘み部材Ｇと一緒に取り除き、ノズル５を開封し、容器Ｄ内の内容液を使用する。
【００７１】
ノズル５のノズル孔１３の開口した後は、再び、閉鎖することは出来ず、さらに、上蓋Ｈの開口部３６の空間が開いているので、視認して開蓋が確認でき、容器の使用状況を確実に知ることが出来る。
その他の構成の作用効果については、第３実施例と同様である。
また、本実施例では第３実施例を元に説明したが、第１実施例および第２実施例のキャップ本体と上蓋とを一体化するヒンジ部を省いて、キャップ本体と上蓋とを別体としてもよい。
【産業上の利用可能性】
【００７２】
本発明のもぎり栓付きキャップは、上蓋を閉めることによりもぎり栓を保護することができるので、もぎり栓が不用意に折れるのを防止することができ、また、最初の開蓋時の操作で、もぎり栓に装着される摘み部材が摘みを形成するので、もぎり栓を捻り取り易くすることができ、とくに、１回使い切りで使用する内容液が充填された容器のもぎり栓付きキャップとして好適である。
【符号の説明】
【００７３】
Ａ、Ａａ      キャップ本体
Ｂ、Ｂａ、Ｂｂ、Ｈ    上蓋
Ｃ            ヒンジ部
Ｄ            容器
Ｅ、Ｆ、Ｇ    摘み部材
１            口部
２            雄ねじ部
３            装着部
４            上壁
５            ノズル（注出部）
５ａ          先端部
６            上蓋係合部
７            基壁
８            内筒
９            外筒
９ａ          切欠凹部
１０            雌ねじ部
１１            薄肉部
１２            もぎり栓
１３            ノズル孔
１４            栓本体
１４ａ          テーパー面
１５            回転止め突部
１６            掛止凹部
２０            頂壁
２１、３５、５５    側周壁
２２、３６      開口部
２３、３７      破断ブリッジ
２４            把手部
２５            基壁係合部
３０、４２、５０    係合筒部
３１            摘み部              
３２、４６、５１    回転止め溝
３３、４７、５２    掛止突部
３３ａ、４７ａ、５２ａ    水平面
３３ｂ、４７ｂ、５２ｂ    傾斜面
４０            係合孔
４０ａ          中央部
４０ｂ          回転止め部
４１            上板
４３            折曲溝
４４            基板部
４５            摘み板部
【図１】
0006552447.tif 000002
【図２】
0006552447.tif 000003
【図３】
0006552447.tif 000004
【図４】
0006552447.tif 000005
【図５】
0006552447.tif 000006
【図６】
0006552447.tif 000007
【図７】
0006552447.tif 000008
【図８】
0006552447.tif 000009
【図９】
0006552447.tif 000010
【図１０】
0006552447.tif 000011
【図１１】
0006552447.tif 000012
【図１２】
0006552447.tif 000013
【図１３】
0006552447.tif 000014
【図１４】
0006552447.tif 000015
【図１５】
0006552447.tif 000016